(57)【要約】【課題】各種小型容器を長期間にわたって保持することができ、小型容器に各種情報を掲載した場合にも、該情報の読み取りに支障をきたさない小型容器添装ホルダを提供することを目的とする。【解決手段】商品本体に小型容器を添装する小型容器添装ホルダであって、シート材に係止部２と、小型容器を保持する容器保持部３とを設け、係止部２は、商品本体のキャップ５２を嵌挿しうる第１の係止孔４を有する第１の基部５と、これに連設され容器保持部３を吊下する第１吊下６を備え、容器保持部３は、吊下部６に連設され第１開口部７を有する第１上部８と、第１上部８に連設されて小型容器の前面側を覆う前部９と、前部９に連設されて小型容器の底部側を受ける受け部１０と、受け部１０に連設され小型容器の背面側に配置される背部１１とを備え、受け部１０には、小容容器の下端部前面側を係合させる第２の開口部１２が形成されていることを特徴とする。【選択図】図２
2010158484.tif 000002
【特許請求の範囲】
【請求項１】
商品本体に小型容器を添付する小型容器添装ホルダであって、
シート材に前記商品本体への係止部と、前記小型容器を保持する容器保持部とを設けて構成され、
前記係止部は、前記商品本体のキャップを嵌挿しうる第１の係止孔を有する第１の基部、及びこの第１の基部に連設され前記容器保持部を吊下する第１の吊下部を備えてなり、
前記容器保持部は、前記第１の吊下部に連設され、前記小型容器の胴部を挿通させる第１の開口部を有する第１の上部と、該第１の上部に連設されて前記小型容器の前面側に配置される前部と、この前部に連設されて前記小型容器の底部側を受ける受け部と、この受け部に連設されて前記小型容器の背面側に配置される背部とを備えてなり、
前記受け部には、前記小容容器の下端部前面側を係合させる第２の開口部が形成されていることを特徴とする小型容器添装ホルダ。
【請求項２】
請求項１に記載の小型容器添装ホルダにおいて、
前記背部の上端縁に連設され、前記小型容器の胴部を挿通させる第３の開口部が形成された第２の上部が形成されていることを特徴とする小型容器添装ホルダ。
【請求項３】
請求項１に記載の小型容器添装ホルダにおいて、
前記背部の上端縁に連設され、前記商品本体のキャップを嵌挿し得る第２の係止孔を有する第２の基部と、該第２の基部に連設され、前記容器保持部を吊下する第２の吊下部とを備えてなることを特徴とする小型容器添装ホルダ。
【請求項４】
請求項１から３のいずれかに記載の小型容器添装ホルダにおいて、
前記前部の高さ寸法Ｌ１と、
前記背部の高さ寸法Ｌ２とが
Ｌ１＜Ｌ２とされていることを特徴とする小型容器添装ホルダ。
【請求項５】
請求項１から４のいずれかに記載の小型容器添装ホルダにおいて、
前記第１の開口部は、その前後方向の寸法Ｌ３が、前記保持部内に前記小型容器が保持された際に、その重量により、前記係止部に対し前記容器保持部が引張されることにより、前記上部が前方下方へ傾斜して、該小型容器を挿通させる寸法とされていることを特徴とする小型容器添装ホルダ。
【発明の詳細な説明】
【技術分野】
【０００１】
本発明は、各種ボトル等の商品本体に小型容器を添装するための小型容器添装ホルダに関する。
【背景技術】
【０００２】
近年、化粧水、乳液等の化粧品、シャンプー、リンス等のトイレタリー製品等を販売するに際して、商品本体にサンプルとしての小型ボトルを添装して販売する方法が広く行われている。このような商品販売に使用する際の小型容器添装ホルダとしては、例えば下記特許文献１に示されるようなものが知られている。
【０００３】
この特許文献１に記載された小型容器ホルダは、帯状のシート材料の両端部に、商品本体に係止するための係止孔を設けると共に、当該係止孔の近傍に、小型容器の容器本体とキャップとの間に生じる首部に係止するための首部保持孔を設けたものである。このホルダは、前記首部保持孔を小型容器の首部に係合させ小型容器の前面と後面を包み込み吊り下げ保持して、係止孔を商品本体のキャップ部分に挿通して使用されるものである。
【先行技術文献】
【特許文献】
【０００４】
【特許文献１】特許第３７７７２６０号公報
【発明の概要】
【発明が解決しようとする課題】
【０００５】
しかし、特許文献１に開示された小型容器ホルダにおいては、首部保持孔の形成された部分に小型容器の首部を係止させる構成であるため、対象とする小型容器として、添装される小型容器が、容器本体の胴部とキャップとの間に隙間があるものに限定されるという問題がある。
【０００６】
また、サンプル品である小型容器は、商品を保護するためにボトル全体をフィルム等で保護する場合や、フィルム等で包まない場合であっても、容器本体の胴部とキャップとの間に十分な隙間が設けられない場合もあるため、このような小型容器には使用できないという問題があった。
【０００７】
また、上記従来の小型容器ホルダにおいては、容器を保持する構造が首部保持孔の設けた部分に小型容器の首部を係合させるものであるから、小型容器の重量がホルダの首部保持孔を設けた部分に集中してしまい、このホルダ自身の耐久性が短期間に低下してしまうという問題がある。
【０００８】
更に、上記従来の小型容器ホルダにおいては、容器の前後を包み込む構成であるため、例えば、容器の表面に外部からの視認を目的とする情報が記載されている場合、この容器をホルダにセットした場合に前記情報が外部から視認できなくなるという問題がある。
【０００９】
この場合、ボトルの前面側を例えば透明な素材で覆うことも考えられるが、透明にして内部の容器本体を見せようとした場合に、透明の素材の厚みが薄く強度が脆弱であるため、容器本体が当接してその素材が破損してしまうという問題がある。
また、破損を防ぐために強度の高い透明のシート素材を使用した場合、素材自体の価格が高くなるという問題も招来する。
【００１０】
また、小型容器については、容器本体のキャップを下にして容器本体に印刷された文字等を読むようにする場合、容器本体の要部を上方に突出させ大きく露出させる必要があり、上記ホルダにおいては、容器本体の首部を係止する構成であるから適用が困難であるという問題がある。
【００１１】
本発明は、上記問題に鑑みて、小型容器が特定のものに限定されることなく、各種小型容器を保持することができ、小型容器を容器本体に添装した場合にも、その重量が一部に集中することがなく、ホルダの長期間にわたる使用が可能であり、さらに小型容器に各種情報を掲載した場合に、その情報の読み取りに支障をきたすことのない小型容器添装ホルダを提供することを目的とする。  
【課題を解決するための手段】
【００１２】
上記目的を達成するために、本発明は以下の手段を提供している。
本発明は、商品本体に小型容器を添付する小型容器添装ホルダであって、シート材に前記商品本体への係止部と、前記小型容器を保持する容器保持部とを設けて構成され、前記係止部は、前記商品本体のキャップを嵌挿しうる第１の係止孔を有する第１の基部、及びこの第１の基部に連設され前記容器保持部を吊下する第１の吊下部を備えてなり、前記容器保持部は、前記第１の吊下部に連設され、前記小型容器の胴部を挿通させる第１の開口部を有する第１の上部と、該第１の上部に連設されて前記小型容器の前面側に配置される前部と、この前部に連設されて前記小型容器の底部側を受ける受け部と、この受け部に連設されて前記小型容器の背面側に配置される背部とを備えてなり、前記受け部には、前記小容容器の下端部前面側を係合させる第２の開口部が形成されていることを特徴とする。
【００１３】
本発明の小型容器添装ホルダは、前記背部の上端縁に連設され、前記小型容器の胴部を挿通させる第３の開口部が形成された第２の上部が形成されてもよい。
この場合、小型容器の胴部を挿通させる開口部が第１の開口部と第３の開口部とされることで、小型容器の胴部の保持部分を強化することができ、かつ、ホルダ各部において接着剤等を用いることなく、簡易かつ安価に小型容器添装ホルダを作製することができる。
【００１４】
本発明の小型容器添装ホルダは、前記背部の上端縁に連設され、前記商品本体のキャップを嵌挿し得る第２の係止孔を有する第２の基部と、該第２の基部に連設され、前記容器保持部を吊下する第２の吊下部とを備えてもよい。
この場合、背部の上端縁を、商品本体のキャップを嵌挿しうる第２の係止孔とすることにより、商品本体のキャップに嵌挿する係止孔を補強することができ、かつ、ホルダ各部において接着剤等を用いることなく、簡易かつ安価に小型容器添装ホルダを作製することができる。
【００１５】
本発明の小型容器添装ホルダは、前記前部の高さ寸法Ｌ１と、前記背部の高さ寸法Ｌ２とがＬ１＜Ｌ２とされてもよい。
この場合、小型容器の表面に各種情報を記載した場合、前部の高さ寸法を背部の高さ寸法よりも低くすることにより、商品本体に添装する小型容器胴部の印刷表示の情報を外部から良好に視認できるという効果が得られる。
【００１６】
本発明の小型容器添装ホルダは、前記第１の開口部が、その前後方向の寸法Ｌ３が、前記保持部内に前記小型容器が保持された際に、その重量により、前記係止部に対し前記容器保持部が引張されることにより、前記上部が前方下方へ傾斜して、該小型容器を挿通させる寸法とされてもよい。
この場合、重い小型容器であっても確実に第２の開口部に保持され、小型容器が前方に落ちにくくなるという効果が得られる。
【発明の効果】
【００１７】
本発明によると、小型容器が特定のものに限定されずに各種小型容器を保持することができ、小型容器を容器本体に添装した場合にも、その重量が一部に集中することがなく、ホルダの長期間にわたる使用が可能であり、さらに小型容器に各種情報を掲載した場合に、その情報の読み取りに支障をきたすことがないという効果が得られる。
【図面の簡単な説明】
【００１８】
【図１】は、第１の実施形態による小型容器添装ホルダの使用状態を示す図である。
【図２】は、第１の実施形態による小型容器添装ホルダの斜視図である。
【図３】は、第１の実施形態による小型容器添装ホルダの展開図である。
【図４】は、第１の実施形態による小型容器添装ホルダ１の作用を説明する説明図である。
【図５】は、第２の実施形態による小型容器添装ホルダの斜視図である。
【発明を実施するための形態】
【００１９】
以下、この発明の実施の形態について説明する。図１から図４は、この発明の第１の実施の形態として示した小型容器添装ホルダ１を示す図である。
図１は小型容器添装ホルダ１の使用状態を示す図であり、図２は小型容器添装ホルダ１の斜視図であり、図３はその展開図であり、図４は小型容器添装ホルダ１の作用を説明する説明図である。
【００２０】
図１に示すように、ここで説明する小型容器添装ホルダ１は、各種内容物が充填された商品本体５０に、必要な内容物が充填された小型容器１００を添装するためのものである。
【００２１】
商品本体５０は、その容器本体５１の上部にキャップ５２を緊締してなるものである。
【００２２】
小型容器１００は、その容器本体（胴部）１０１にキャップ１０２を緊締してなるものである。この小型容器１００の容器本体１０１には、商品名等各種の表示（不図示）が記載されている。
【００２３】
小型容器添装ホルダ１は、商品本体５０のキャップ５２に吊り下げて、商品本体５０の容器本体５１に小型容器１００を保持するために使用されるものである。
【００２４】
図１及び図２に示すように、小型容器添装ホルダ１は、シート材に商品本体５０への係止部２と小型容器１００を保持する容器保持部３とを設けて形成されたものである。
【００２５】
係止部２は、商品本体５０のキャップ部５２を嵌挿し得る第１の係止孔４を有する第１の基部５、及び、この第１の基部５に連設され、容器保持部３を吊下する第１の吊下部６を備えてなるものである。
【００２６】
第１の係止孔４は、商品本体５０のキャップ５２を挿通させるのに十分な大きさに形成されたものであり、略半楕円形の形状を有するものである。
【００２７】
容器保持部３は、第１の吊下部６に連設され、小型容器１００の胴部１０１を挿通させる第１の開口部７を有する第１の上部８と、この第１の上部８に連設され、小型容器１００の前面部に配置される前部９と、この前部９に連設され、小型容器１００の底面側を受ける受け部１０と、この受け部１０に連設され小型容器１００の背面側に配置される背部１１と、この背部１１に連設され第１の上部８に沿って配置される第２の上部１２と、この第２の上部１２に連設された折り曲げ部１３とを備えてなるものである。
【００２８】
第１の開口部７は、矩形に形成されたものであって、第１の上部８と第１の吊下部６との境界線ｔと、第１の上部８と前部９との境界線ｕとの間に形成されたものである。第３の開口部１４も、第２の上部１２に上記第１の開口部７と対応する位置に形成されている。
かくして第１の開口部７、第３の開口部１４は、それぞれ４つの辺ａ，ｂ，ｃ，ｄに囲まれた孔である。
【００２９】
第２の上部１２には、第１の上部８に形成された第１の開口部７に対応する位置に、同第１の開口部７と同一形状の第３の開口部１４が形成されている。
この構成において、第２の上部１２は、第１の上部８の下面に沿って配置され、折り曲げ部１３は、第２の上部１２の前端縁から折り曲げられて、前部９の背面側に位置している。
【００３０】
また更に、受け部１０には、その前半部に矩形の第２の開口部１５が形成されている。
この第２の開口部１５は、小型容器１００の下端部前側を係合させるものであって、当該部分が第２の開口部１５に係合して、外部に露出するように形成されている。
この第２の開口部１５の形状も矩形であり、前部９と受け部１０との境界線ｖと、受け部１０の前部方向中間部との間に形成されたものであり、辺ｅ、ｆ、ｇ、ｈからなっている。
【００３１】
前部９の高さ寸法Ｌ１と背部１１の高さ寸法Ｌ２とは、Ｌ１＜Ｌ２となるように形成されている。
【００３２】
小型容器添装ホルダ１は、図３に示すように、紙又はポリプロピレン樹脂等折り曲げることができ、小型容器の重量に耐えうる材料からなる帯状のシート材によって作製される。すなわち、図３において、帯状に形成されたシート材には、それぞれ折り曲げ線ｓ、ｔ、ｕ、ｖ、ｗ、ｘ、ｙが形成されており、これらによって区画された第１基部５、第１の上部８、受け部１０、第２の上部１２には、開口部となる第１の係止孔４、第１の開口部７、第２の開口部１５、第３の開口部１４がそれぞれ順に形成されている。
【００３３】
このように形成されたシート材を上記各折り曲げ線ｓからｙに従って折り曲げられる。折り曲げ線ｓ、ｕ、ｖ、ｗ、ｘ、ｙは山折に折り曲げられ、折り曲げ線ｔは谷折に折り曲げられて、小型容器添装ホルダ１が形成されている。  
【００３４】
上記の構成において、小型容器１００を収納する容器収納部１６は、第１の上部８及び第２の上部１２と、前部９と、受け部１０と、背部１１とに囲まれて形成されている。
【００３５】
この小型容器添装ホルダ１を使用するには、図１及び図２に示すように、第１の開口部７と第３の開口部１４とが重ね合わされた開口部に小型容器１００を挿入し、容器収納部１６に収納した状態で、係止部２に形成された第１の係止孔４内に商品本体５０のキャップ部５２を挿入して、当該キャップ５２及び商品本体５０の上部にこれを吊り下げる。
【００３６】
この場合、小型容器１００は、その略上半部が第１の開口部７から一定寸法上方に突出し、略下半部が容器収納部１６に収納されることになる。この際、小型容器１００の下方部前側は、受け部１０の第２の開口部１５から外部に露出するように位置し、当該第２の開口部１５内に係合する。
【００３７】
この場合、図４に示すように、小型容器添装ホルダ１が、商品本体５０のキャップ５２に係合した状態において、小型容器１００の重量によって小型容器添装ホルダ１の各部が引張される。
すなわち、第１の上部８が引っ張られ、かつ、前部９が引っ張られることにより、受け部１０が引っ張られ、この受け部１０が、後端部すなわち背部１１との連設部分１０ａよりも前部９との連設部分１０ｂの方が上方に位置するように傾斜して位置するようになる。
【００３８】
更に第１の上部８は、前部９との連設部分８ａよりも吊下部６との連設部分８ｂの方が、上方に位置するように第１の上部８の前後方向の寸法Ｌ３が傾斜する。すなわち、この第１の上部８は、前端部８ａよりも後端部側８ｂの方が上方に傾斜した状態に位置する。
また、第２の上部１２の第３の開口部１４内に、小型容器１００が位置しているため、この第２の上部１２が小型容器１００と係合する。
【００３９】
この状態において、小型容器１００は、第１の開口部７、第３の開口部１４、及び第２の開口部１５とによって、前後方向の位置及び左右方向の位置が規制されて、不用意に動かない状態に保持される。
【００４０】
また、上記の状態において、受け部１０と背部１１の角度θは鋭角になって、受け部１０は、前方から後方に向けて下る傾斜となる。この下り傾斜は、小型容器１００が重ければ重いほど急勾配となって、小型容器１００の重心が後方に移動するように作用される。
【００４１】
したがって、前部９の寸法Ｌ１が小寸法であっても、小型容器１００が第１の開口部７及び第３の開口部１４から前方へ転動して下方へ落下することが防止される。
【００４２】
以上、この小型容器添装ホルダ１によれば、商品本体５０に添装する小型容器１００として特定のものに限られることなく、各種小型容器を保持することができるという効果が得られる。
【００４３】
また、商品本体５０に小型容器１００を添装した場合に、小型容器１００の重量が小型容器添装ホルダ１の一部に集中することがなく、小型容器添装ホルダ１自身の耐久性が高く、長期に亘って使用できるという効果が得られる。
【００４４】
また、小型容器１００の表面に、各種情報を記載した場合、前部の高さ寸法を背部の高さ寸法よりも低くすることにより、当該情報を外部から良好に視認することができるという効果が得られる。
【００４５】
またさらに、互いに重ねられた第１の開口部７と第３の開口部１４に小型容器１００を挿入することによって、容器収納部１６を構成するよう第２の上部１２ないし折り曲げ部１３を第１の上部８ないし前部９の背面に係止しているため、小型容器添装ホルダ１の各部を接着剤等で貼着等する必要がなく、作製が極めて簡単で安価に提供することができるという効果が得られる。
【００４６】
また、小型容器の胴部を挿通させる第１の開口部と第３の開口部とすることにより、小型容器の胴部の保持部分を強化することができるという効果が得られる。
【００４７】
また、背部の上端縁を、商品本体のキャップを嵌挿しうる第２の係止孔とすることにより、商品本体のキャップに嵌挿する係止孔を補強することができる。
【００４８】
図５は、本発明の第２の実施の形態を示すものである。
この図５において、前記の第１の実施の形態と同一部分には同一符号を付してある。
第２の実施の形態が第１の実施の形態と異なる点は、第１実施の形態における第２の上部１２（図２を参照）を設けることなく、背部１１の上端縁に連設して第２の吊下部１７と、この第２の吊下部１７に連設された第２の基部１８を設けた点である。
【００４９】
第２の基部１８には、第２の係止孔１９が設けられている。第２の吊下部１７及び第２の基部１８は、第１の吊下部６及び第１の基部５の背面側に配されており、第１の吊下部６並びに第２の吊下部１７、及び、第１の基部５並びに第２の基部１８が係止部２を構成している。
この第２の実施の形態による小型容器添装ホルダ２０は、第１の係止孔４並びに第２の係止孔１９が、商品本体５０のキャップ５２に係止し、容器収納部１６に小型容器１００を挿入して使用する。  
この実施の形態による小型容器添装ホルダ２０は、背部１１が第２の吊下部１７及び第２の基部１８によって吊下されることになる。
本実施の形態においても、前記第１の実施の形態と同様の効果を得ることができる。
【符号の説明】
【００５０】
１    小型容器添装ホルダ
２    係止部
３    容器保持部
４    第１の係止孔
５    第１の基部
６    第１の吊下部
７    第１の開口部
８    第１の上部
９    前部
１０  受け部
１１  背部
１２  第２の上部
１４  第３の開口部
１５  第２の開口部
１６  容器収納部
１７  第２の吊下部
１８  第２の基部
１９  第２の係止孔
５０  商品本体
５２  商品本体のキャップ
１００  小型容器
１０１  小型容器の胴部
Ｌ１  前部の高さ寸法
Ｌ２  背部の高さ寸法
Ｌ３  第１の開口部の前後方向の寸法
【図１】
2010158484.tif 000003
【図２】
2010158484.tif 000004
【図３】
2010158484.tif 000005
【図４】
2010158484.tif 000006
【図５】
2010158484.tif 000007